(57)【特許請求の範囲】
【請求項１】
室内熱交換器、室内ファン、室外熱交換器及び室外ファンが一体に設けられ、上記室内熱交換器及び上記室内ファンが配置された室内側室と、上記室外熱交換器及び上記室外ファンが配置された室外側室とが仕切板により区画され、
また、上記室内ファン及び上記室外ファン等を制御する制御基板を内蔵し、この制御基板に接続された電気配線を配線固定面に、押え具を用いて固定する電装装置を備えた空気調和装置において、
上記電装装置は、正面プレートを有する基板収納ケースを備え、この正面プレートの上記仕切板に対向する内側の面に上記制御基板を配置するとともに、当該正面プレートの外側の面を上記配線固定面として構成し、この配線固定面には、配線に当接可能で高さを異にする複数の当接部が形成され、
これらの当接部の一つと上記押え具とにより配線を狭持して、当該配線を上記配線固定面に固定し得るよう構成されたことを特徴とする空気調和装置。
【請求項２】
上記電装装置における配線固定面には、窪んだ形状の当接凹部と、平面形状の当接平面部と、膨出した形状の当接凸部との少なくとも２つが当接部として設けられたことを特徴とする請求項１に記載の空気調和装置。
【発明の詳細な説明】
【０００１】
【発明の属する技術分野】
本発明は、室内熱交換器、室内ファン、室外熱交換器及び室外ファンが一体に設けられると共に、配線を固定する配線固定構造が設けられる電装装置を備えた空気調和装置に関する。
【０００２】
【従来の技術】
空気調和装置には、圧縮機、室内ファン及び室外ファンを制御する制御基板を内蔵した電装装置が備えられている。この電装装置の制御基板には、その電源回路に、電源配線等の電気配線が接続されている。この電気配線は、電装装置の配線固定面に押え具を用いて挟持されて固定される。
【０００３】
【発明が解決しようとする課題】
ところで、上記電気配線は、供給される電力の大きさ等により線径が異なる。このため、電気配線を配線固定面との間で挟持して固定するための押え具は、電気配線の線径に応じて形状を異にする必要があり、複数種類用意しなければならない。従って、押え具の部品点数が増大して、空気調和装置のコストが上昇してしまう。
【０００４】
本発明の目的は、上述の事情を考慮してなされたものであり、部品点数低減してコストダウンを実現できる空気調和装置を提供することにある。
【０００５】
【課題を解決するための手段】
請求項１に記載の発明は、室内熱交換器、室内ファン、室外熱交換器及び室外ファンが一体に設けられ、上記室内熱交換器及び上記室内ファンが配置された室内側室と、上記室外熱交換器及び上記室外ファンが配置された室外側室とが仕切板により区画され、
また、上記室内ファン及び上記室外ファン等を制御する制御基板を内蔵し、この制御基板に接続された電気配線を配線固定面に、押え具を用いて固定する電装装置を備えた空気調和装置において、
上記電装装置は、正面プレートを有する基板収納ケースを備え、この正面プレートの上記仕切板に対向する内側の面に上記制御基板を配置するとともに、当該正面プレートの外側の面を上記配線固定面として構成し、この配線固定面には、配線に当接可能で高さを異にする複数の当接部が形成され、
これらの当接部の一つと上記押え具とにより配線を狭持して、当該配線を上記配線固定面に固定し得るよう構成されたことを特徴とする空気調和装置。
【０００６】
請求項２に記載の発明は、請求項１に記載の発明において、上記電装装置における配線固定面には、窪んだ形状の当接凹部と、平面形状の当接平面部と、膨出した形状の当接凸部との少なくとも２つが当接部として設けられたことを特徴とするものである。
【００１１】
請求項１または２に記載の発明には、次の作用がある。
【００１２】
配線固定面に、配線に当接可能で高さを異にする複数の当接部（当接凹部、当接平面部、当接凸部の少なくとも２つ）が形成され、これらの当接部の一つと押え具とにより配線を狭持して、当該配線を配線固定面に固定するよう構成されたことから、配線固定面の当接部を配線の線径に応じて選択し、この選択された一つの当接部と押え部とにより配線を固定できるので、配線の線径に応じた押え部を複数種類用意する必要がない。この結果、押え部の部品点数を低減でき、コストダウンを実現できる。
【００１３】
【発明の実施の形態】
以下、本発明の実施の形態を、図面に基づき説明する。
【００１４】
図１は、本発明に係る空気調和装置の一実施の形態を示す外観斜視図である。
【００１５】
図２は、図１の空気調和装置においてキャビネットを省略して示す分解斜視図である。
【００１６】
これらの図１及び図２に示す空気調和装置１０は、建物の図示しない壁を貫通して設置され、室内熱交換器１１、室内ファンとしてのクロスフローファン１２（図３）、室外熱交換器１３、室外ファンとしてのプロペラファン１４、及び圧縮機１５等が一体に設けられる一体型の空気調和装置である。
【００１７】
上述の室内熱交換器１１、クロスフローファン１２、室外熱交換器１３、プロペラファン１４及び圧縮機１５等は、底板１６上に配置されて空気調和装置本体１７を構成し、この空気調和装置本体１７の前方側（つまり室内熱交換器１１及びクロスフローファン１２の配置側）が前パネル１８で覆われ、後方側（つまり、室外熱交換器１３、プロペラファン１４及び圧縮機１５の配置側）がキャビネット１９により覆われて構成される。前パネル１８が、建物の室内に面して位置づけられる。また、キャビネット１９は、建物の壁を貫通して据え付けられるものであり、角筒（スリーブ）形状に形成されている。
【００１８】
図２乃至図４に示すように、上記空気調和装置本体１７においては、底板１６の前後方向略中央位置に仕切板２０が立設され、この仕切板２０は、底板１６の全幅方向に亘って延在される。この仕切板２０により、空気調和装置本体１７は、室内熱交換器１１及びクロスフローファン１２等が配置された室内側室２１と、室外熱交換器１３、プロペラファン１４及び圧縮機１５等が配置された室外側室２２とに区画される。従って、空気調和装置１０の前方に配置された前パネル１８は室内側室２１を画成し、また、空気調和装置１０の後方側に配置されたキャビネット１９は、室外側室２２の周囲を画成することになる。
【００１９】
上記底板１６の室外側室２２側に室外熱交換器１３、室外ファンケーシング２３、支持脚２４及び圧縮機１５が設置される。
【００２０】
この圧縮機１５は、室外熱交換器１３、減圧装置（不図示）及び室内熱交換器１１に図示しない冷媒配管を用いて順次接続されており、これらにより冷凍サイクルが構成される。空気調和装置１０の冷房運転時に、室外熱交換器１３が凝縮器として機能し、室内熱交換器１１が蒸発器として機能する。また、空気調和装置１０の暖房運転時に、室外熱交換器１３が蒸発器として、室内熱交換器１１が凝縮器としてそれぞれ機能する。
【００２１】
上記室外ファンケーシング２３は、室外熱交換器１３に連設されると共に、内部にプロペラファン１４が配設される。このプロペラファン１４は、室外駆動モータ２５により回転駆動され、この室外駆動モータ２５が上記支持脚２４に支持される。また、上記室外側室２２は、室外ファンケーシング２３によって、室外ファンケーシング２３内側の室外吐出室２６と、室外ファンケーシング２３外側の室外吸込室２７とに区画される。
【００２２】
上記プロペラファン１４の回転により、外気は、図４の矢印Ａに示すように、室外熱交換器１３両側の室外吸込口２８から室外吸込室２７内へ吸い込まれ、室外ファンケーシング２３のファン用オリフィス２９を経て室外吐出室２６内へ吐出され、室外熱交換器１３を通って室外吐出口３０から室外へ吐出される。上記室外熱交換器１３は、空気調和装置１０の冷房運転時に外気へ熱を放出し、また、暖房運転時に外気から熱を取り込む。
【００２３】
また、プロペラファン１４には、図３に示すように、各羽根の外周部に、これらの羽根を連結するスリンガリング３１が固着されている。空気調和装置１０の冷房運転時には、蒸発器として機能する室内熱交換器１１にドレン水が発生する。このドレン水は、後述のドレンパン３３に集水された後、仕切板２０の下端部に形成されたドレン開口４４を経て底板１６の貯溜部３２に貯溜される。上記スリンガリング３１は、プロペラファン１４の回転時に、貯溜部３２に溜まったドレン水を掻き上げ、このとき凝縮器として機能する室外熱交換器１３へ上記ドレン水を飛散させる。これにより、室外熱交換器１３の凝縮能力が向上する。
【００２４】
一方、上記底板１６の室内側室２１側にドレンパン３３が設置され、このドレンパン３３に室内熱交換器１１が載置される。また、前記仕切板２０は、図５に示すように、室内側室２１側に開口を有する箱形状に形成され、この仕切板２０内に室内ファンケーシング３４が配置される。
【００２５】
この室内ファンケーシング３４は、図３に示すように、仕切板２０の第１天面４１（後述）から湾曲してドレンパン３３に至り、このドレンパン３３の下端部に、室内熱交換器１１に隣接して電気ヒータ５５が設置される。また、湾曲する室内ファンケーシング３４の内側にクロスフローファン１２が配置される。従って、室内ファンケーシング３４は、仕切板２０とクロスフローファン１２との間に配置される。
【００２６】
クロスフローファン１２は、図４に示す室内駆動モータ３５により回転駆動され、これらのクロスフローファン１２及び室内駆動モータ３５が仕切板２０に支持される。上記室内ファンケーシング３４は、図３に示すように、室内側室２１側に室内循環室３６と外気導入室３７とを形成する。更に、室内側室２１には、図４に示すように、電装装置４５を収納する電装室４６が形成される。
【００２７】
図３に示すように、上記室内循環室３６内に、室内熱交換器１１、クロスフローファン１２、電気ヒータ５５が配置される。更に、この室内循環室３６内には、エアフィルタ３８及びスタビライザ３９が配置される。エアフィルタ３８は、前パネル１８に形成された吸込グリル４０と室内熱交換器１１との間に設置される。また、スタビライザ３９は、室内熱交換器１１の上方に設置されてクロスフローファン１２方向へ膨出して設けられる。このスタビライザ３９により、室内循環室３６内の空気が室内熱交換器１１に良好に吸い込まれ、室内熱交換器１１から良好に吐出される。前パネル１８には、この吐出空気を建物の室内へ導く吹出グリル４３が、吸込グリル４０の上方に形成されている。
【００２８】
クロスフローファン１２の回転により、図３の矢印Ｂに示すように、建物の室内の空気が吸込グリル４０から室内側室２１の室内循環室３６内に取り込まれ、この空気は、エアフィルタ３８、室内熱交換器１１、電気ヒータ５５を順次経てクロスフローファン１２に吸い込まれ、このクロスフローファン１２により吐出されて、吹出グリル４３から室内へ吹き出される。上記室内熱交換器１１は、空気調和装置１０の冷房運転時に、室内循環室３６内に取り込まれた室内空気を冷却して室内を冷房し、また、暖房運転時に上記室内空気を加熱して室内を暖房する。
【００２９】
上記外気導入室３７は、室外側室２２を経て室内側室２１の室内循環室３６内へ外気を取り込み、建物の室内へ新鮮な空気を供給可能とする換気装置４７を構成する一構成要素である。この換気装置４７は、上記外気導入室３７の他、換気開口４８、換気シャッタ４９及び換気通気部５０Ａを有して構成される。
【００３０】
前記箱形状の仕切板２０には、第１天面４１よりも下段位置に、この第１天面４１に連設して第２天面４２が形成される。この第２天面４２は、室外側室２２の周囲を画成するキャビネット１９の内側に配置される。また、図４及び図５に示すように、第２天面４２に上記換気開口４８が、第２天面４２の長手方向に複数個、同一ピッチで並設されている。
【００３１】
上記第２天面４２には、多数の細穴５１を備えた上記換気シャッタ４９が載置される。これらの細穴５１は群毎にまとめられ、これら複数の細穴群５１Ａが、換気シャッタ４９の長手方向に同一ピッチで配置される。この細穴群５１Ａのピッチは、第２天面４２の換気開口４８のピッチと略同一に設定されている。
【００３２】
また、換気シャッタ４９には両端部に、換気シャッタ４９の長手方向に延びる長孔５２が形成される。換気シャッタ４９は、この長孔５２を貫通するビス５３によって、仕切板２０の第２天面４２に、この第２天面４２及び換気シャッタ４９の長手方向にスライド自在に取り付けられる。
【００３３】
図６に示すように、換気シャッタ４９のスライドにより、換気シャッタ４９の細穴群５１Ａが換気開口４８と一致した位置で換気開口４８が全開操作され、細穴群５１Ａが換気開口４８と一致しない位置で換気開口４８が全閉操作される。また、換気シャッタ４９のスライド位置によって、換気開口４８の開度が半開、２／３開など任意の位置に調整される。この換気開口４８の開操作により、図３の矢印Ｃに示すように、室外側室２２内に流入した外気がキャビネット１９に案内されて、換気シャッタ４９の細穴５１及び第２天面４２の換気開口４８を通り、外気導入室３７内に導入される。
【００３４】
ここで、第２天面４２は、室外側室２２側へ向かって下方に傾斜して構成される。これにより、第２天面４２とキャビネット１９との間の外気の流動面積が、第２天面４２が水平の場合に比べて拡大される。また、図６に示す換気シャッタ４９の細穴５１は、換気開口４８の開口面積に比べて著しく小さな穴径に形成される。これにより、この細穴５１は、エアフィルタの機能を果たし、例えば虫等の侵入を防止する穴径に設定される。
【００３５】
前記換気通気部５０Ａは、図５に示すように、室内ファンケーシング３４の下部に切り起こし処理等により複数の通気口５０が設けられて、鎧戸形状に形成されたものである。この換気通気部５０Ａは、仕切板２０のドレン開口４４に対応する位置を除いて、室内ファンケーシング３４の長手方向に複数並設される。
【００３６】
図３に示すように、クロスフローファン１２の回転時には、室内循環室３６内におけるクロスフローファン１２の下方、つまり換気通気部５０Ａ近傍が負圧となる。このため、図３の矢印Ｃに示すように、換気シャッタ４９の細穴５１及び第２天面４２の換気開口４８を経て外気導入室３７内に導入された外気は、湾曲形状の室内ファンケーシング３４の外側を通って下方へ流動し、複数の換気通気部５０Ａの通気口５０を経て室内循環室３６内へ導かれる。この室内循環室３６内に導かれた外気は、室内熱交換器１１により空気調和された室内空気と混合して、図３の矢印Ｂに示すように、前パネル１８の吹出グリル４３から建物の室内へ導入され、この室内に新鮮な空気が供給される。
【００３７】
また、図５に示すように、換気シャッタ４９には、一端部に操作レバー５４が一体に結合されている。この操作レバー５４は、図２及び図６に示すように、室内熱交換器１１側へ延在して配設され、前パネル１８の取り外し時等に操作可能とされる。この操作レバー５４を水平方向に操作することによって、換気シャッタ４９がワイヤ等を介することなく直接スライドされ、換気開口４８の開度を全開または全閉操作する他、半開操作等のように換気開口４８の開度が任意に調整可能とされる。
【００３８】
ところで、図２及び図４に示す電装装置４５は、図７に示すように、制御基板５６が内側に配置されて内蔵された基板収納ケース５７と、温度や風量調整用の操作つまみが設置される操作つまみボックス５８と、制御基板５６に接続された電気配線６０（図８、図９）を固定する配線固定構造５９と、を有して構成される。
【００３９】
上記操作つまみボックス５８は、基板収納ケース５７の上部に固着される。この操作つまみボックス５８に、図２に示す冷暖温度調整つまみ６１及び冷暖風量調整つまみ６２が設置される。これらの冷暖温度調整つまみ６１及び冷暖風量調整つまみ６２は、前パネル１８の操作扉６３を開くことにより目視可能とされる。
【００４０】
図７に示す制御基板５６は、トランジスタやコンデンサ等の各種電子部品が実装されたものであり、図２に示すクロスフローファン１２、プロペラファン１４及び圧縮機１５等を、冷暖温度調整つまみ６１及び冷暖風量調整つまみ６２により設定された設定値に基づいて制御する。制御基板５６には、その電源回路（不図示）に、電源配線等の電気配線６０（図８、図９）が端子板（不図示）を介して接続されている。
【００４１】
図７に示す上記配線固定構造５９は、基板収納ケース５７における配線固定面としての正面プレート６４に、押え具６５を用いて電気配線６０（図８、図９）を固定するものである。この電気配線６０は、制御基板５６の電源回路へ供給する電力の大きさによって線径が異なったものが使用される。例えば、２００Ｖの電力を電源回路へ供給する場合には、１００Ｖの電力を電源回路へ供給する場合に比べて、電気配線６０の線径が太くなっている。
【００４２】
この電気配線６０が固定される上記正面プレート６４には、図７に示すように、電気配線６０に当接可能で高さを異にする複数の当接部６６が形成されている。この当接部６６は、正面プレート６４に比べて窪んだ形状の当接凹部６７と、正面プレート６４と面一の平面形状に形成された当接平面部６８とを有して構成される。当接凹部６７は、線径の太い電気配線６０（図８）に対応して形成されたものであり、また、当接平面部６８は、線径の細い電気配線６０（図９）に対応して形成されたものである。
【００４３】
上記押え具６５は、図７〜図９に示すように、コ字形状の押え具本体６９における両端にフランジ７０及び７１が一体に構成されたものであり、押え具本体６９の内面に、内側に膨出した形状の押圧部７５が形成されている。押え具６５のフランジ７０は、正面プレート６４における当接凹部６７、当接平面部６８の一方の片側に形成された係止穴７２に係合可能とされる。また、押え具６５のフランジ７１は、正面プレート６４における当接凹部６７、当接平面部６８の他方の片側に形成されたねじ穴７３に螺合される取付ビス７４を用いて、正面プレート６４に固着可能とされる。
【００４４】
図８（Ａ）に示すように、電気配線６０の線径が太い場合には、正面プレート６４における当接凹部６７と押え具６５との間に電気配線６０を位置づけ、この当接凹部６７の片側の係止穴７２に押え具６５のフランジ７０を挿入して係止させ、この押え具６５のフランジ７１を、当接凹部６７の他の片側のねじ穴７３に螺合される取付ビス７４を用いて正面プレート６４に固着する。このようにして正面プレート６４に取り付けられた押え具６５によって、線径の太い電気配線６０が、図８（Ｂ）に示すように、当接凹部６７と押え具６５の押圧部７５との間に挟持された状態で、正面プレート６４に固定保持される。
【００４５】
また、図９（Ａ）に示すように、電気配線６０の線径が細い場合には、正面プレート６４における当接平面部６８と押え具６５との間に電気配線６０を位置づけ、この当接平面部６８の片側の係止穴７２に押え具６５のフランジ７０を挿入して係止させ、この押え具６５のフランジ７１を、当接平面部６８の他の片側のねじ穴７３に螺合される取付ビス７４を用いて正面プレート６４に固着する。ここのようにして正面プレート６４に取り付けられた押え具６５によって、線径の細い電気配線６０が、図９（Ｂ）に示すように、当接平面部６８と押え具６５の押圧部７５との間に挟持された状態で、正面プレート６４に固定保持される。
【００４６】
押え具６５を正面プレート６４に固着して取り付けたときの、押え具６５の押圧部７５と当接凹部６７、当接平面部６８のそれぞれとの寸法Ｌ、Ｍは、押え具６５の押圧部７５と当接凹部６７、当接平面部６８のそれぞれとにより電気配線６０を挟持した時に、この電気配線６０が正面プレート６４から抜け落ちることがない狭持力を当該電気配線６０に作用し得る値に設定される。
【００４７】
従って、上記実施の形態によれば、次の効果を奏する。
【００４８】
電装装置４５における基板収納ケース５７の正面プレート６４に、電気配線６０に当接可能で高さを異にする複数の当接部６６（つまり、当接凹部６７及び当接平面部６８）が形成され、これらの当接凹部６７、当接平面部６８の１つと押え具６５とにより電気配線６０を挟持して、当該電気配線６０を正面プレート６４に固定するよう構成されたことから、正面プレート６４の当接凹部６７または当接平面部６８を電気配線６０の線径に応じて選択し、この選択された１つの当接凹部６７または当接平面部６８と押え具６５とにより電気配線６０を固定できるので、押え具６５を複数種類の電気配線６０に対し共通部品化できる。この結果、電気配線６０の線径に応じた押え具６５を複数種類用意する必要がないので、電気配線６０の部品点数を低減でき、コストダウンを実現できる。
【００４９】
以上、本発明を上記実施の形態に基づいて説明したが、本発明はこれに限定されるものではない。
【００５０】
例えば、上記実施の形態では、電装装置４５における基板収納ケース５７の正面プレート６４に、当接凹部６７及び当接平面部６８が形成されたものを述べたが、より細い線径の電気配線６０を固定する場合には、正面プレート６４に、この正面プレート６４から膨出した形状の当接凸部を上記当接平面部６８に代えて、または当接平面部６８と共に形成し、この当接凸部と押え具６５との間で、電気配線６０を挟持して固定してもよい。
【００５１】
また、上記実施の形態では、空気調和装置に適用された電送装置の場合を述べたが、食品などを冷蔵して陳列するショーケースや自動販売機などの各種機器における電送装置に、本発明を適用してもよい。
【００５２】
更に、本実施の形態では、配線が電気配線の場合を述べたが、電話配線などの通信配線であってもよい。
【００５３】
【発明の効果】
請求項１または２に記載の発明に係る空気調和装置によれば、部品点数を低減してコストダウンを実現できる。
【図面の簡単な説明】
【図１】本発明に係る空気調和装置の一実施の形態を示す外観斜視図である。
【図２】図１の空気調和装置においてキャビネットを省略して示す分解斜視図である。
【図３】図１の空気調和装置の縦断面図である。
【図４】図１の空気調和装置においてキャビネットを省略して示す平面図である。
【図５】図２の仕切板、クロスフローファン及び換気装置等を示す分解斜視図である。
【図６】図５の換気装置等を組み付けた状態を示す図４に対応した平面図である。
【図７】図２に示す電装装置の正面図である。
【図８】図７のVIII−VIII線に沿う断面図であり、（Ａ）が電気配線を固定する前の断面図、（Ｂ）が電気配線を固定した状態における断面図である。
【図９】図８のIX−IX線に沿う断面図であり、（Ａ）が電気配線を固定する前の断面図、（Ｂ）が電気配線を固定した状態における断面図である。
【符号の説明】
１０  空気調和装置
１１  室内熱交換器
１２  クロスフローファン（室内ファン）
１３  室外熱交換器
１４  プロペラファン（室外ファン）
２０  仕切板
２１  室内側室
２２  室外側室
４５  電装装置
５６  制御基板
５９  配線固定構造
６０  電気配線（配線）
６４  正面プレート（配線固定面）
６５  押え具
６６  当接部
６７  当接凹部
６８  当接平面部
【図１】
0004807483.tif 000002
【図２】
0004807483.tif 000003
【図３】
0004807483.tif 000004
【図４】
0004807483.tif 000005
【図５】
0004807483.tif 000006
【図６】
0004807483.tif 000007
【図７】
0004807483.tif 000008
【図８】
0004807483.tif 000009
【図９】
0004807483.tif 000010